(57)【要約】【課題】  気象情報を取得するデータ取得地点を細かく設定することができる気象情報警告システムを提供する。【解決手段】  気象情報警告システム１は、親機１４Ａと子機１５ａ〜１５ｉからなる閉域通信網１６により構成されている。温度・気圧を検出するセンサーを有する子機１５ａ〜１５ｉは数百ｍ以下の間隔で設置することができ、測定データにおける前回と今回の差が所定の閾値を超えた際に、警告表示部において警告表示を行う。親機１４Ａは、子機１５ａ〜１５ｉから測定データを受け取って記憶手段に格納し、該記憶手段内の測定データの最大値と最小値との差が所定の閾値を超えた際に、子機１５ａ〜１５ｉへ警告表示を行う。これにより、局所的な地域に設置されている子機１５ａ〜１５ｉにおいて、警告表示が行われる。【選択図】  図１
2018105723.tif 000002
【特許請求の範囲】
【請求項１】
温度・気圧を検出するセンサーと警告表示部とを少なくとも有し、所定の地点に設置され、設置された地点の位置情報と、前記センサーで検出した気温・気圧の測定データとを送出すると共に、検出した測定データにおける前回と今回の差が所定の閾値を超えた際に、前記警告表示部において警告表示を行う複数の子機と、
前記測定データを受け取って記憶手段に格納し、該記憶手段内の前記測定データの最大値と最小値との差が所定の閾値を超えた際に、前記子機へ警告表示を行う指示を送出する親機とを備え、
前記子機は、前記親機から警告表示を行う指示を受け取った際に、前記警告表示部において警告表示を行うことを特徴とする気象情報警告システム。
【請求項２】
前記複数の子機は、設置された地点の位置情報に、該子機の各々を識別する識別情報を付けて前記親機へ送出すると共に、前記測定データと、該測定データの取得時刻とからなるセンサー情報に、前記識別情報を付けて前記親機へ送出し、
前記親機は、各子機から受信した前記センサー情報における測定データの最大値と最小値との差が所定の閾値を超えたか否かを判断し、所定の閾値を超えたと判断されたセンサー情報の識別情報から、当該センサー情報を送出した子機を特定し、特定された子機が設置された地点の周囲に設置されている子機に対して、前記警告表示を行う指示を送出することを特徴とする請求項１に記載の気象情報警告システム。
【請求項３】
温度・気圧を検出するセンサーと第１の警告表示部とを少なくとも有し、所定エリア内の地点に設置され、設置された地点の第１の位置情報と、前記センサーで検出した気温・気圧の測定データとを送出する複数の第１の子機と、
前記所定エリア内の家屋に設置され、設置された地点の第２の位置情報を送出すると共に、警告表示を行う第２の警告表示部を備える第２の子機と、
前記第１の子機から送出された前記第１の位置情報および前記センサー情報と、前記第２の子機から送出された前記第２の位置情報とを受け取って情報提供部へ送出する親機と、
該親機から受け取った前記第１の位置情報および前記測定データと前記第２の位置情報とをデータベースに格納し、該データベース内における前記所定エリア内から取得した前記測定データの最大値と最小値および標準偏差を算出し、前記データベース内の前記所定エリア内から取得した前記測定データの偏差が前記標準偏差を超えた際に、前記親機へ警告表示を行う指示を送出する前記情報提供部とを備え、
前記親機は、前記情報提供部から受け取った警告表示を行う指示を前記第１の子機および前記第２の子機へ送出し、前記第１の子機および前記第２の子機は、前記親機から警告表示を行う指示を受け取った際に、前記第１の警告表示部および前記第２の警告表示部において警告表示を行うことを特徴とする気象情報警告システム。
【請求項４】
前記第１の子機および前記第２の子機は、設置された地点の位置情報に、前記第１の子機および前記第２の子機の各々を識別する識別情報を付けて前記親機へ送出すると共に、前記第１の子機は前記測定データと、該測定データの取得時刻とからなるセンサー情報に、前記識別情報を付けて前記親機へ送出し、
前記情報提供部は、標準偏差を超えた前記センサー情報における測定データを送出した第１の子機を特定し、特定された第１の子機が設置された地点の周囲に設置されている前記第１の子機および前記第２の子機に対して、前記警告表示を行う指示を前記親機を介して送出することを特徴とする請求項３に記載の気象情報警告システム。
【請求項５】
前記第２の子機は、警報を行う警報装置を備えており、前記第２の子機は、前記親機から警告表示を行う指示を受け取った際に、前記警報装置において警報を発することを特徴とする請求項３または４に記載の気象情報警告システム。
【請求項６】
前記情報提供部において、前記データベース内の前記所定エリア内から取得した前記センサー情報における測定データが有意な変化をしたと判断した際に、前記情報提供部に登録されている前記所定エリア内の登録者の端末へ作成した警告メッセージを配信することを特徴とする請求項３ないし５のいずれかに記載の気象情報警告システム。
【請求項７】
前記情報提供部が前記登録者より、警告メッセージに対応してマップの閲覧要求を受け取った際に、前記登録者のいる地点のエリアの地図を設定した第１レイヤーの表示情報と、前記エリア内に設置されている複数の前記第１の子機が設置されている各地点に表示する前記第１の子機のアイコンを、当該第１の子機が検出した前記センサー情報の値を表す表示態様とした第２レイヤーの表示情報とからなるマップを作成して、前記登録者に配信するようにしたことを特徴とする請求項６に記載の気象情報警告システム。
【発明の詳細な説明】
【技術分野】
【０００１】
本発明は、取得した気象情報に応じて局所的な地域に警告を行うことができる気象情報警告システムに関する。
【背景技術】
【０００２】
非特許文献１の国土交通省ハザードマップポータルサイト（http://disaportal.gsi.go.jp/index.html ）には、防災情報として、重ねるハザードマップが公開されている。重ねるハザードマップでは、地図や空中写真に、浸水想定区域や道路情報、危険箇所などを重ねて閲覧することが可能とされ、県や市区町村の境界を超えたシームレスなマップを表示可能である。このハザードマップでは、水害発生の予測地域に関して、範囲及び深さを表示した情報地図となる。このハザードマップは予測データでありリアルタイムのハザードマップとはされていない。また、地域ごとの避難情報が集約された、その地域のハザードマップ（わがまちハザードマップ）も知られているが、わがまちハザードマップは市区町村を単位として作成されており、リアルタイムのハザードマップとはされていない。
【０００３】
また、時々刻々と変化する実際の洪水・氾濫に対応する洪水ハザードマップを提供することができる特許文献１の従来のリアルタイム動的氾濫シミュレーションシステムが提案されている。
この従来のリアルタイム動的氾濫シミュレーションシステムでは、河川情報データベースと、氾濫原データベースと、流出解析手段と、河道水位予測手段と、破堤点流入量計算手段と、氾濫解析手段と、フィードバック補正手段と、シミュレーション表示手段と、地図情報、住所・ランドマーク情報、雨に関する河川情報及び洪水ハザードマップ関連情報を配信サーバより自動的に発信させるデータ配信手段とを組み合わせて、インターネット、パソコン通信、ネットワークが利用できるプラットフォームから自動的に配信するようにしている。
【先行技術文献】
【非特許文献】
【０００４】
【非特許文献１】国土交通省ハザードマップポータルサイト  ［online］, ［平成２８年  ９月１５日検索］，インターネット<http://disaportal.gsi.go.jp/index.html>
【特許文献】
【０００５】
【特許文献１】特開２００４−１９７５５４号公報
【発明の概要】
【発明が解決しようとする課題】
【０００６】
気象情報を取得する従来のシステムでは、データ取得地点を細かく設定することができず、局所的な気象条件の変化情報を取得することが困難であるという問題点があった。
そこで、本発明は、気象情報を取得するデータ取得地点を細かく設定することができる気象情報警告システムを提供することを目的としている。
【課題を解決するための手段】
【０００７】
本発明の気象情報警告システムは、温度・気圧を検出するセンサーと警告表示部とを少なくとも有し、所定の地点に設置され、設置された地点の位置情報と、前記センサーで検出した気温・気圧の測定データとを送出すると共に、測定データにおける前回と今回の差が所定の閾値を超えた際に、前記警告表示部において警告表示を行う複数の子機と、前記測定データを受け取って記憶手段に格納し、該記憶手段内の前記測定データの最大値と最小値との差が所定の閾値を超えた際に、前記子機へ警告表示を行う指示を送出する親機とを備え、前記子機は、前記親機から警告表示を行う指示を受け取った際に、前記警告表示部において警告表示を行うことを最も主要な特徴としている。
【０００８】
また、本発明の他の実施例の気象情報警告システムは、温度・気圧を検出するセンサーと第１の警告表示部とを少なくとも有し、所定エリア内の地点に設置され、設置された地点の第１の位置情報と、前記センサーで検出した気温・気圧の測定データとを送出する複数の第１の子機と、前記所定エリア内の家屋に設置され、設置された地点の第２の位置情報を送出すると共に、警告表示を行う第２の警告表示部を備える第２の子機と、前記第１の子機から送出された前記第１の位置情報および前記センサー情報と、前記第２の子機から送出された前記第２の位置情報とを受け取って情報提供部へ送出する親機と、該親機から受け取った前記第１の位置情報および前記測定データと前記第２の位置情報とをデータベース部に格納し、該データベース内における前記所定エリア内から取得した前記測定データの最大値と最小値および標準偏差を算出し、前記データベース内の前記所定エリア内から取得した前記測定データの偏差が前記標準偏差を超えた際に、前記親機へ警告表示を行う指示を送出する前記情報提供部とを備え、前記親機は、前記情報提供部から受け取った警告表示を行う指示を前記第１の子機および前記第２の子機へ送出し、前記第１の子機および前記第２の子機は、前記親機から警告表示を行う指示を受け取った際に、前記第１の警告表示部および前記第２の警告表示部において警告表示を行うことを最も主要な特徴としている。
【発明の効果】
【０００９】
本発明の気象情報警告システムにおいて、温度・気圧を検出するセンサーを有する子機あるいは第１の子機を数百ｍ以下の間隔で設置することができることから、局所的な気象条件の変化情報を取得することができる。このため、竜巻などが発生する局所的な気象条件の変化情報を取得して、その旨の警告や警報を行うことができるようになる。
【図面の簡単な説明】
【００１０】
【図１】本発明の第１実施例にかかる気象情報警告システムの構成を示す機能ブロック図である。
【図２】本発明の第１実施例にかかる気象情報警告システムの子機の構成を示す機能ブロック図である。
【図３】本発明の第１実施例にかかる気象情報警告システムの親機の構成を示す機能ブロック図である。
【図４】本発明の第１実施例にかかる気象情報警告システムのマイクロコントローラの構成を示す機能ブロック図である。
【図５】本発明の第１実施例の気象情報警告システムにおける親機と子機との設置位置の例を示す図である。
【図６】本発明の第１実施例の気象情報警告システムにおいて、子機が警告表示を行う態様の例を説明するための図である。
【図７】本発明の第１実施例の気象情報警告システムにおいて、子機が警告表示を行う態様の他の例を説明するための図である。
【図８】本発明の第１実施例の気象情報警告システムにおいて、子機の構成例および警告表示の例を説明するための図である。
【図９】本発明の第１実施例の気象情報警告システムにおける子機で実行される子機処理のフローチャートである。
【図１０】本発明の第１実施例の気象情報警告システムにおける親機で実行される親機処理のフローチャートである。
【図１１】本発明の第２実施例にかかる気象情報警告システムの構成を示す機能ブロック図である。
【図１２】本発明の第２実施例にかかる気象情報警告システムの第１の子機の構成を示す機能ブロック図である。
【図１３】本発明の第２実施例にかかる気象情報警告システムの第２の子機の構成を示す機能ブロック図である。
【図１４】本発明の第２実施例にかかる気象情報警告システムの親機の構成を示す機能ブロック図である。
【図１５】本発明の第２実施例にかかる気象情報警告システムにおける情報提供部、情報配信サーバー、データ処理装置の構成を示す機能ブロック図である。
【図１６】本発明の第２実施例の気象情報警告システムにおける親機と第１の子機と第２の子機との設置位置の例を示す図である。
【図１７】本発明の第２実施例の気象情報警告システムにおいてセンサー情報の変化の例を示す図である。
【図１８】本発明の第２実施例の気象情報警告システムにおいて、第１の子機および第２の子機が警告表示を行う態様の例を説明するための図である。
【図１９】本発明の第２実施例の気象情報警告システムにおいて作成される閲覧者が閲覧するマップの例を示す図である。
【図２０】本発明の第２実施例の気象情報警告システムにおける第２の子機の構成を示す図である。
【図２１】本発明の第２実施例の気象情報警告システムにおける第１の子機で実行される第１子機処理のフローチャートである。
【図２２】本発明の第２実施例の気象情報警告システムにおける第２の子機で実行される第２子機処理のフローチャートである。
【図２３】本発明の第２実施例の気象情報警告システムにおける親機で実行される親機処理のフローチャートである。
【図２４】本発明の第２実施例の気象情報警告システムにおける情報提供部で実行されるＤＢ書込処理のフローチャートである。
【図２５】本発明の第２実施例の気象情報警告システムにおけるデータ処理装置で実行されるデータ処理装置処理のフローチャートである。
【図２６】本発明の第２実施例の気象情報警告システムにおける情報配信サーバーで実行される情報配信サーバー処理のフローチャートである。
【図２７】本発明の第２実施例の気象情報警告システムにおける情報提供部で実行されるメッセージ配信処理（１）のフローチャートである。
【図２８】本発明の第２実施例の気象情報警告システムにおける情報提供部で実行されるメッセージ配信処理（２）のフローチャートである。
【図２９】本発明の第２実施例にかかる気象情報警告システムにおける情報提供部で実行される閲覧要求処理のフローチャートである。
【図３０】本発明の第２実施例にかかる気象情報警告システムにおける情報提供部で実行されるマップ作成処理のフローチャートである。
【図３１】本発明の実施例にかかる気象情報警告システムにおける端末装置の構成を示す機能ブロック図である。
【図３２】本発明の実施例にかかる気象情報警告システムにおける子機の一例の視線誘導標の構成を示す斜視図である。
【図３３】本発明の第２実施例にかかる気象情報警告システムにおける子機の一例の視線誘導標をグランドに取り付ける態様を示す図である。
【発明を実施するための形態】
【００１１】
本発明の第１実施例にかかる気象情報警告システム１の構成を図１に示す。この本発明にかかる気象情報警告システム１では、取得した気象情報が局所的に異常を示した際に、異常が発生したことの警告や警報を行うことができる。
図１に示す本発明の第１実施例にかかる気象情報警告システム１は、親機１４Ａと複数台の子機１５ａ，１５ｂ，・・・，１５ｉからなる閉域通信網１６を備えている。閉域通信網１６は、任意のエリアをカバーするよう設置されている。閉域通信網１６は、専用の通信回線を利用する通信網であり、データを途中で傍受されたり改ざんされるおそれを防止できる通信網である。閉域通信網１６は親機１４Ａを備えており、ｉ台の子機１５ａ，１５ｂ，・・・，１５ｉが閉域通信網１６に属している。親機１４Ａは、閉域通信網１６に割り当てられたエリア内のそれぞれ所定の地点に設置されたｉ台の子機１５ａ〜１５ｉと、有線あるいは無線の閉域通信で接続されている。子機１５ａ〜１５ｉは同じ構成とされ、設置された地点の気温と気圧を検出するセンサーをそれぞれが備えている。子機１５ａ〜１５ｉが所定の地点にそれぞれ設置され、初めて電源が投入された際に、子機１５ａ〜１５ｉのそれぞれは一意の個体識別番号である子機ＩＤと設置された地点の位置情報とを親機１４Ａに送信して、相互の間の通信を確立する。そして、子機１５ａ〜１５ｉは、備えられたセンサーが所定時間間隔で検出した気温・気圧の測定データに取得時刻の情報を付加したセンサー情報に子機ＩＤを付けて親機１４Ａに送出している。また、子機１５ａ〜１５ｉは、備えられたセンサーが検出した測定データにおける前回と今回の差が所定の閾値を超えた際に、警告表示を行う前記警告表示器を備えている。
【００１２】
ここで、子機１５ａ〜１５ｉの構成を説明するが、子機１５ａ〜１５ｉは同じ構成とされていることから子機１５として示す。図２に子機１５の構成を示す機能ブロック図を示す。
子機１５は図２に示すように、マイクロコントローラ２１、気温・気圧のセンサー２２、位置測位装置２３、警告表示器２４、閉域通信網通信Ｉ／Ｆ２５、記憶装置２６とを備え、これらをバスにより接続している。また、各部へ電源を供給する電源装置２７を備えている。マイクロコントローラ２１は、子機１５の動作を統括制御する制御手段であり、時計機能を有している。具体的には、マイクロコントローラ２１は、センサー２２で検出した気温・気圧の測定データを取得すると共に、取得した時刻情報を取り込んで、時刻情報を付した測定データをセンサー情報として記憶装置２６に書き込む。また、子機１５の子機ＩＤと設置された地点の座標である位置情報を記憶装置２６に書き込む。この場合、子機１５の位置情報は、子機１５における位置測位装置２３がＧＰＳ等を使用して測位した座標の位置情報、あるいは、直接入力した子機１５の位置情報とされる。また、図示しないスイッチがオンされて電源装置２７から電源が投入された際には、子機１５を初期化する。そして、位置情報の取得が終了した際に、記憶装置２６に書き込まれている当該子機１５の位置情報に、当該子機１５に割り当てられている一意の子機ＩＤを付加して、閉域通信網通信Ｉ／Ｆ２５から親機１４Ａへ送信する。マイクロコントローラ２１は、所定時間間隔でセンサー２２から測定データを取り込み、その測定データと取得した時刻情報とからなるセンサー情報に子機ＩＤを付加して閉域通信網通信Ｉ／Ｆ２５を介して親機１４Ａへ送信する。また、マイクロコントローラ２１が、センサー２２から取得した気温・気圧の測定データの前回と今回のデータ値の差が、記憶装置２６に記憶されている気象異常の閾値を超えたと判断した場合は、マイクロコントローラ２１は、気象異常が発生したと云う警告表示を警告表示器２４を点灯させることにより行う。これにより、子機１５を観察することで、当該子機の設置地点において気象異常が発生したことが分かるようになる。警告表示器２４は、発光ダイオード（ＬＥＤ）などの発光デバイスによって構成できる。
なお、閉域通信網通信Ｉ／Ｆ２５をワイヤレスとし、電源装置２７を大容量キャパシタあるいは２次電池と、充電用の太陽光パネルとから構成すると、商用電源を利用できない地点においても子機１５を設置することができ、任意の場所に子機１５を設置可能とすることができる。
【００１３】
マイクロコントローラ２１の構成について説明すると、図４にマイクロコントローラ２１の構成を示す機能ブロック図を示す。図４に示すようにマイクロコントローラ２１は、ＣＰＵ（Central Processing Unit）４１、ＲＯＭ（Read Only Memory）４２、ＲＡＭ（Random Access Memory）４３、Ｉ／Ｏ４４を備え、これらをバス４５で接続して構成されている。ＣＰＵ４１は、ＲＯＭ４２に記憶された制御プログラムを実行することにより、マイクロコントローラ２１が上記したように動作する。また、電源投入時には、ＣＰＵ４１がＲＯＭ４２に格納されている初期設定プログラムを実行し、マイクロコントローラ２１が上記したように動作する。マイクロコントローラ２１は、Ｉ／Ｏ４４を介して子機１５のバスに接続されている。
【００１４】
次に、図３に親機１４Ａの構成を示す機能ブロック図を示す。
親機１４Ａは図３に示すように、マイクロコントローラ３１、閉域通信網通信Ｉ／Ｆ３３、記憶装置３４と、データ処理部３５とを備え、これらをバスにより接続している。また、各部へ電源を供給する電源装置３６を備えている。マイクロコントローラ３１は、前述した図４に示す構成と同様とされ、ＣＰＵ４１、ＲＯＭ４２、ＲＡＭ４３、Ｉ／Ｏ４４を備え、これらをバス４５で接続して構成されているが、ＲＯＭ４２には親機１４Ａ用の制御プログラムが記憶されている。マイクロコントローラ３１では、ＲＯＭ４２に記憶されている親機１４Ａ用の制御プログラムをＣＰＵ４１が実行することにより、親機１４Ａの動作を統括制御している。すなわち、マイクロコントローラ３１におけるＣＰＵ４１は、閉域通信網通信Ｉ／Ｆ３３を介して子機１５から送信された子機ＩＤ付きの位置情報、子機ＩＤ付きのセンサー情報を受信して記憶装置３４に設定したバッファに書き込む。そして、ＣＰＵ４１がバッファ内のセンサー情報の最大値と最小値との差が、記憶装置３４に記憶されている気象異常を示す閾値を超えたと判断した際に、データ処理部３５は子機１５に警告表示の指示を送出する。この場合、データ処理部３５は、閾値を超えたセンサー情報を送出した子機１５の子機ＩＤから、当該子機１５が設置されている位置情報を検出し、当該子機１５の周囲の局所的な地域に設置されている子機１５へ警告表示の変更指示を送出する。なお、電源装置３６は、商用電源を所定電圧の直流電圧に降圧する電源装置とされている。また、電源装置３６を、使用電力容量に合わせた大容量キャパシタあるいは２次電池と、充電用の太陽光パネルとから構成すると共に、閉域通信網通信Ｉ／Ｆ３３をワイヤレスとすると、商用電源を利用できない地点においても親機１４Ａを設置することができるようなる。
【００１５】
次に、本発明の第１実施例にかかる気象情報警告システム１において、親機１４Ａと子機１５の設置位置を概略的な地図で図５に示す。図５は、親機１４Ａと子機１５が現実に設置される位置を示している。
図５に示すように、エリアＡは、ブロックＡ−１〜ブロックＡ−９の９ブロックからなり、各ブロック間には道路が走っている。エリアＡを管轄する親機１４ＡがエリアＡの中央のブロックＡ−５に設置されており、ブロックＡ−１〜ブロックＡ−９の各ブロック内に、それぞれ１５台の子機１５が設置されると共に、各ブロック間の道路に複数の子機１５が設置されている。親機１４Ａは二重丸の図形で示されており、各子機１５の設置位置は円が半截された図形で示されており、半截された図形によりセンサー２２が温度センサーと気圧センサーとを備えていることを示している。なお、局所的に起きる急激な気象の変化を監視するために、数百ｍ以下の短い設置間隔とされて、センサー２２を備える子機１５が設置されている。
【００１６】
ここで、子機１５において、電源装置２７を大容量キャパシタ、あるいは、２次電池と充電用の太陽光パネルとから構成すると共に、閉域通信網通信Ｉ／Ｆ２５を、無線ＬＡＮなどのワイヤレスの閉域通信網用のインタフェースとすることにより、子機１５を道路や道路以外の地面の任意の場所に設置することができるようになる。これにより、子機１５は、エリアＡの道路、エリアＡの各ブロック内の道路以外の公園や避難所、広場、田んぼの中や畦、住宅の庭、河川敷内などにも設置可能となる。
【００１７】
上記したように親機１４Ａおよび複数の子機１５が設置されたエリアＡにおいて、１０：００の時点での気温・気圧の情報が図５に示されている。各子機１５の設置位置に示されている半截された円の上半部は温度、下半部は気圧を示している。色調の濃淡が気温・気圧の振れ幅を示している。図５では、一定の気温と一定の気圧となっていることが示されている。
時刻が１０:００から５分経過した１０:０５となった時刻におけるエリアＡの気温・気圧の情報が図６に示されている。図６を参照すると、ブロックＡ−４の略中央付近の子機１５において、周囲に比べ気温の変動が発生していると共に、気圧の変動が発生していることが分かる。特に、変動が発生している子機１５の中央部の子機１５においては、センサー２２から取得した気温・気圧のセンサー情報の前回と今回のデータ値の差が、記憶装置２６に記憶されている気象異常の閾値を超えており、この子機１５においては、警告表示器２４により警告表示が行われている。この警告は、例えば、気温・気圧が気象異常の閾値を超えた変動幅とされていることから竜巻が発生する危険の警告とされる。
【００１８】
時刻１０：０５にブロックＡ−４の略中央付近での気温・気圧変動を検知した後、発生箇所の周囲の子機１５における警告表示器２４により警告表示が行われる時刻１０：１０の態様が図７に示されている。警告表示の指示は、子機１５に備えられた記憶装置２６に格納された一定時間前のセンサー情報の測定データと、今回取得されたセンサー情報の測定データとのデータ値の相対比較により、子機１５自身が警告表示の指示を行う。さらに、親機１４ＡではエリアＡに設置された全ての子機１５から受信した、各子機１５のセンサー情報が取得時刻毎および子機ＩＤ毎に記憶装置３４内のバッファに格納されており、バッファ内の子機１５のセンサー情報の全体より相対値を検知して、急激な気候変動が起きたと判断された際に、親機１４Ａは発生箇所の周囲の局所的な地域に設置されている子機１５に対して警告表示の指示を行う。発生箇所の周囲の子機１５は、各子機１５の設置位置の位置情報から決定することができる。なお、各子機１５から送出された各子機１５の設置位置の位置情報および各子機１５の子機ＩＤは親機１４Ａの記憶装置３４に格納されている。
発生箇所の周囲の子機１５による警告表示は、図７に示すようにブロックＡ−４の周囲のブロックであるブロックＡ−１、ブロックＡ−５，ブロックＡ−７，ブロックＡ−８に設置された局所的な地域の子機１５で警告表示されることから、これらのブロックの人たちに近くで急激な気候変動が発生しており、竜巻等の気象異常が発生する恐れがあることを通知することができる。
【００１９】
子機１５の構成例および警告表示の態様の一例を図８に示す。図８（ａ）は子機１５のハードウェアの構成の一例を示す図であり、図８（ｂ）は子機１５の警告表示の態様を示す図である。
図８（ａ）に示すように、子機１５は、円筒状のポール部１０１ａと、ポール部１０１ａの下端に固着されている円盤状の基部１０１ｂとから構成されている。ポール部１０１ａと基部１０１ｂ内は収納空間とされており、この収納空間に図２に示す子機１５を構成するマイクロコントローラ２１，センサー２２，位置測位装置２３，警告表示器２４，閉域通信網通信２５，記憶装置２６，電源装置２７が収納されている。位置測位装置２３が備える位置測位用アンテナ（例えば、ＧＰＳアンテナ）や閉域通信網通信Ｉ／Ｆ２５が備える閉域通信用アンテナは、ポール部１０１ａの表面や表面から突出して設けられてもよい。ポール部１０１ａの上半部には警告表示部１１１が設けられており、警告表示部１１１の内側に警告表示器２４が配置されている。ポール部１０１ａおよび基部１０１ｂは樹脂製とされるが、位置測位用アンテナと閉域通信用アンテナが動作可能であれば金属製としてもよい。
【００２０】
なお、警告表示部１１１の開口部に、反射ガラスや反射シートを埋め込むようにすると、図８（ａ）に示す構成の子機１５は視線誘導標としても機能するようになる。この視線誘導標は、視程不良時に自動車のヘッドライトを反射し、路側や道路線形の視認性を高め、ドライバーの視線を正しく誘導する路側や道路に設置される道路付属物である。
上記したように、子機１５は、道路に設置されることが主とされる道路付属物に収納されたり、道路付属物に取り付けることができる。道路付属物は、視線誘導標、境界ブロック、縁石、支持柱、防護柵、壁構造物、標識、デリニエータ、道路鋲などの、道路法、道路法施行令、道路構造令などで規定される道路付属物や構造物が含まれる。道路付属物は、自立する構成のものが多くされており、子機１５を自立する構成の道路付属物に収納あるいは取り付けることにより、子機１５を、道路または道路以外の公園や避難所、広場、田んぼの中や畦、住宅の庭、河川敷内などにも設置可能となり、図５に示すようにエリアＡの道路または各ブロック内の道路以外の場所に設置できるようになる。
【００２１】
図８（ａ）に示す構成の子機１５において、警告表示部１１１の内側に配置された警告表示器２４は、例えば発光ダイオード（ＬＥＤ）などのリング状の発光デバイスが４段縦に並べて構成されており、警告表示器２４の発光を警告表示部１１１を介して外部から視認することができる。警告表示器２４では、図８（ｂ）に示すように１段の発光から４段の発光まで発光パターンを変化させることで、気温・気圧のセンサー情報の変動の幅を示すようにしている。すなわち、図８（ｂ）の右端に示すように警告表示部１１１を介して全段の発光が視認される場合は、子機１５の設置地点においては気象異常が発生するおそれが高いことが分かる。
【００２２】
次に、子機１５において実行される子機処理のフローチャートを図９に示す。子機１５が所定の地点に設置されて、電源装置２７がオンされると図９に示す子機処理をマイクロコントローラ２１が開始する。子機処理は、実際には、マイクロコントローラ２１内のＣＰＵ４１が実行するのであるが、説明の都合上マイクロコントローラ２１が実行するものとして説明する。
子機処理が開始されると、ステップＳ１０にてマイクロコントローラ２１は、位置測位装置２３が現在位置、すなわち、子機１５が設置された地点の座標である位置情報が、ＧＰＳ等の測位部から取得されたか否かを判断する。ここで、位置情報が取得されない場合（ＮＯ）は取得されるまで待機し、位置情報が取得されたとマイクロコントローラ２１が判断した場合（ＹＥＳ）はステップＳ１１に進む。ステップＳ１１でマイクロコントローラ２１は、取得された位置情報に当該子機１５に一意に割り当てられている子機ＩＤを付加して、当該子機１５が属する親機１４Ａに閉域通信網１６を介して送信する。次いで、ステップＳ１２にてマイクロコントローラ２１は、所定の時間、例えば１分とされるｔ時間待機してからステップＳ１３に進む。ステップＳ１３でマイクロコントローラ２１は、センサー２２で検出されている気温・気圧を計測すると共に、測定データの取得時刻を検出する。次いで、ステップＳ１４にてマイクロコントローラ２１は計測された測定データとその取得時刻からなるセンサー情報を閉域通信網１６を介して属する親機１４Ａに送信する。
【００２３】
次いで、ステップＳ１５にてマイクロコントローラ２１は、閉域通信網通信Ｉ／Ｆ２５により当該子機１５が属する親機１４Ａから警告表示の変更指示を受信したか否かを判断する。ここで、マイクロコントローラ２１が警告表示の変更指示を受信したと判断した場合（ＹＥＳ）は、ステップＳ１６に分岐してマイクロコントローラ２１は、変更指示に応じて警告表示の点灯あるいは消灯を警告表示器２４で行う。また、ステップＳ１５でマイクロコントローラ２１が警告表示変更指示を受信していないと判断した場合（ＮＯ）は、ステップＳ１７に進みマイクロコントローラ２１は、センサー情報における前回と今回取得した測定データの差が、記憶装置２６に記憶されている気象異常の閾値を超えたか否かを判断する。ここで、測定データの差が閾値以上になったとマイクロコントローラ２１が判断した場合（ＹＥＳ）は、ステップＳ１８に進んでマイクロコントローラ２１は、警告表示器２４を点灯させて警告表示を行う。これにより、図６に示すように子機１５において警告表示が行われる。また、ステップＳ１７で測定データの差が閾値未満とマイクロコントローラ２１が判断した場合（ＮＯ）は、ステップＳ１９に進みマイクロコントローラ２１は、警告表示器２４の警告表示が点灯している場合は、その警告表示を消灯する。ステップＳ１６，ステップＳ１８またはステップＳ１９の処理が終了すると、ステップＳ１２に戻りステップＳ１２ないしステップＳ１９の処理が繰り返し行われるようになる。これにより、子機１５は、ｔ期間ごとにセンサー２２から取得した気温・気圧の測定データとその取得時刻からなるセンサー情報を親機１４Ａに送信し、測定データの差が閾値以上となった場合には警告表示器２４で警告表示を行うようになる。
なお、子機処理は子機１５の電源装置２７がオンされている限り実行されており、電源装置２７がオフされた際に子機処理は終了する。
【００２４】
次に、親機１４Ａにて実行される親機処理のフローチャートを図１０に示す。親機１４Ａが所定の場所に設置されて、電源装置３６がオンされると図１０に示す親機処理をマイクロコントローラ３１が開始する。
親機処理が開始されると、ステップＳ３０にてマイクロコントローラ３１は、当該親機１４Ａに属している子機１５から送信されたデータを受信する。このデータは、子機ＩＤを付加した子機１５が設置された地点の位置情報、あるいは、子機１５が取得した気温・気圧の測定データとその取得時刻からなるセンサー情報である。次いで、ステップＳ３１にてマイクロコントローラ３１は、受信した子機ＩＤ付きの位置情報を記憶装置３４に保存すると共に、センサー情報における測定データを記憶装置３４内のバッファに保存する。次いで、ステップＳ３２にてマイクロコントローラ３１は、バッファ内の測定データの最大値と最小値の差が気象異常の閾値以上となったか否かを判断する。ここで、マイクロコントローラ３１が最大値と最小値の差が閾値以上となったと判断した場合（ＹＥＳ）は、ステップＳ３４に分岐してマイクロコントローラ３１は、現在状態を「異常」とする。また、マイクロコントローラ３１が最大値と最小値の差が閾値未満と判断した場合（ＮＯ）はステップＳ３３に進み、マイクロコントローラ３１は、現在状態を「正常」とする。
【００２５】
ステップＳ３３あるいはステップＳ３４の処理が終了すると、ステップＳ３５にてマイクロコントローラ３１は、状態が変化したか否かを判断する。ここで、マイクロコントローラ３１が状態が変化したと判断した場合（ＹＥＳ）は、ステップＳ３６に進む。ステップＳ３６でマイクロコントローラ３１は、状態が正常から異常に変化した場合はデータ処理部３５から子機１５へ警告表示器２４を点灯させる警告表示変更指示を送出し、現在状態が異常から正常に変化した場合はデータ処理部３５から子機１５へ警告表示器を消灯させる警告表示変更指示を送出する。警告表示器２４を点灯させる警告表示変更指示を送出する子機１５は、最大値と最小値の差が閾値以上となった測定データを検出した子機１５の周囲の局所的な地域に設置されている子機１５とされる。すなわち、最大値と最小値の差が閾値以上となった測定データを検出した子機１５の識別は、バッファ内の子機ＩＤ付きの測定データから識別することができ、当該子機１５の周囲の局所的な地域に設置されている子機１５は記憶装置３４に保存されている子機ＩＤ付きの位置情報から決定することができる。これにより、最大値と最小値の差が閾値以上となった測定データを検出した子機１５の周囲の局所的な地域に設置されている子機１５において図７に示すように警告表示が行われるようになる。また、ステップＳ３５でマイクロコントローラ３１が、現在状態が以前と比べて変化していないと判断した場合（ＮＯ）、あるいは、ステップＳ３６の処理が終了した場合は、ステップＳ３０に戻り、ステップＳ３０ないしステップＳ３６の処理が繰り返し行われるようになる。親機処理は、電源装置３６がオフされた際に終了する。
【００２６】
本発明の第２実施例の気象情報警告システム２について以下に説明する。第２実施例の気象情報警告システム２の構成を図１１に示す。この本発明の第２実施例の気象情報警告システム２では、取得した気象情報が局所的に異常を示した際に、異常が発生したことの警告や警報を行うことができる。
図１１に示す第２実施例の気象情報警告システム２は、端末群１０と情報提供部１２と閉域通信網１９とを備えており、各部の間は通信網で接続されている。すなわち、情報提供部１２と端末群１０とは不特定多数の利用者によって共有して利用される拠点間を結ぶ公衆通信網やインターネット通信網からなる通信網１１で接続され、閉域通信網１９の親機１４Ｂと情報提供部１２とは、インターネット通信網や公衆通信網からなる広域通信網１３で接続される。
【００２７】
本発明の第２実施例の気象情報警告システム２における閉域通信網１９は、専用の通信回線を利用する通信網であり、データを途中で傍受されたり改ざんされるおそれを防止できる通信網である。閉域通信網１９は親機１４Ｂを備えており、複数台の第１の子機１７ａ，１７ｂ，・・・，１７ｉと第２の子機１８ａ、１８ｂ、・・・１８ｊとの異なる構成の２種類の子機が閉域通信網１９に属している。親機１４Ｂは、閉域通信網１９に割り当てられたエリア内のそれぞれ所定の地点に設置されたｉ台の第１の子機１７ａ〜１７ｉおよびｊ台の第２の子機１８ａ〜１８ｊと、有線あるいは無線の閉域通信で接続されている。第１の子機１７ａ〜１７ｉは同じ構成とされ、設置された地点の気温と気圧を検出するセンサーをそれぞれが備え、道路や道路外野路面状に設置される子機とされている。第２の子機１８ａ〜１８ｊは同じ構成とされるが、気温と気圧を検出するセンサーを備えておらず、家屋内に設置される子機とされている。第１の子機１７ａ〜１７ｉおよび第２の子機１８ａ〜１８ｊが所定の地点にそれぞれ設置され、初めて電源が投入された際に、第１の子機１７ａ〜１７ｉおよび第２の子機１８ａ〜１８ｊのそれぞれは一意の個体識別番号である子機ＩＤと設置された地点の位置情報とを親機１４Ｂに送信して、相互の間の通信を確立する。そして、第１の子機１７ａ〜１７ｉは、備えられたセンサーが所定時間間隔で検出した気温・気圧の測定データとその取得時刻の情報とからなるセンサー情報に子機ＩＤを付加して親機１４Ｂに送出している。また、子機１７ａ〜１７ｉおよび第２の子機１８ａ〜１８ｊは、警告表示を行う警告表示器を備えている。
【００２８】
ここで、本発明の第２実施例の気象情報警告システム２における第１の子機１７ａ〜１７ｉおよび第２の子機１８ａ〜１８ｊについて説明する。以下の説明では、同じ構成とされることから第１の子機１７ａ〜１７ｉを第１の子機１７、第２の子機１８ａ〜１８ｊを第２の子機１８として説明する。図１２に第１の子機１７の構成を示す機能ブロック図を示し、図１３に第２の子機１８の構成を示す機能ブロック図を示す。
本発明の第２実施例の気象情報警告システム２における第１の子機１７は図１２に示すように、マイクロコントローラ２１、気温・気圧のセンサー２２、位置測位装置２３、警告表示器２４、閉域通信網通信Ｉ／Ｆ２５とを備え、これらをバスにより接続している。第１の子機１７は、道路や道路外の地面上に設置されることを前提としている。また、各部へ電源を供給する電源装置２７を備えている。マイクロコントローラ２１は、第１の子機１７の動作を統括制御する制御手段であり、時計機能を有している。具体的には、マイクロコントローラ２１は、第１の子機１７が設置された地点の位置情報に、当該第１の子機１７に割り当てられている一意の子機ＩＤを付加し、閉域通信網通信Ｉ／Ｆ２５を介して親機１４Ｂへ送出する。また、センサー２２で検出した気温・気圧の測定データを取得して、取得した測定データに取得した時刻情報を付加したセンサー情報に子機ＩＤを付加して閉域通信網通信Ｉ／Ｆ２５を介して親機１４Ｂへ送出する。この場合、第１の子機１７の位置情報は、第１の子機１７における位置測位装置２３がＧＰＳ等を使用して測位した位置情報、あるいは、直接入力した第１の子機１７の位置情報とされる。また、図示しないスイッチがオンされて電源装置２７から電源が投入された際には、第１の子機１７を初期化する。マイクロコントローラ２１は、所定時間間隔でセンサー２２から測定データを取り込み、取得した時刻情報を付加したセンサー情報に子機ＩＤを付加し、所定時間間隔で閉域通信網通信Ｉ／Ｆ２５を介して親機１４Ｂへ送信する。また、親機１４Ｂから閉域通信網通信Ｉ／Ｆ２５を介して警告表示を行う警告表示変更指示を受信した場合は、マイクロコントローラ２１は、警告表示変更指示に応じて警告表示器２４を点灯させる警告表示を行う。これにより、第１の子機１７を観察することで、当該子機の設置地点の周辺において気象異常が発生したことが分かるようになる。警告表示器２４は、発光ダイオード（ＬＥＤ）などの発光デバイスによって構成できる。
なお、閉域通信網通信Ｉ／Ｆ２５をワイヤレスとし、電源装置２７を大容量キャパシタあるいは２次電池と、充電用の太陽光パネルとから構成すると、商用電源を利用できない地点においても第１の子機１７を設置することができ、任意の場所に第１の子機１７を設置可能とすることができる。
【００２９】
本発明の第２実施例の気象情報警告システム２における第２の子機１８は図１３に示すように、マイクロコントローラ２１、警告表示器２４、閉域通信網通信Ｉ／Ｆ２５および警報装置２８を備え、これらをバスにより接続している。また、各部へ電源を供給する電源装置２７を備えており、第２の子機１８は、家屋内に設置されることを前提としている。マイクロコントローラ２１は、第２の子機１８の動作を統括制御する制御手段である。具体的には、マイクロコントローラ２１は、親機１４Ｂから警告表示変更指示を受信した際に、警告表示変更指示を内部のテンポラリメモリに書き込む。また、図示しないスイッチがオンされて電源装置２７から電源が投入された際には、第２の子機１８を初期化する。そして、テンポラリメモリに書き込まれている警告表示変更指示に応じた警告表示を警告表示器２４で行うよう、警告表示器２４を制御するとともに、警報装置２８で警告表示変更指示に応じた警報を発するよう警報装置２８を制御する。これにより、第２の子機１８を家屋内に設置することで、家屋の周辺において気象異常が発生するおそれがある時に警告表示および警報が発せられることから、屋外にいなくても家屋の周辺において気象異常が発生するおそれがあることが分かるようになる。すなわち、急激な気温変化等があった場合は、各家屋内に設置された第２の子機１８が警告・警報により居住者に気象異常が発生するおそれがあることを通知することから、気象異常の情報を取得するよう居住者に促すことができるようになる。
マイクロコントローラ２１は、上述した図４に示す構成とされていることから、その説明は省略する。
【００３０】
本発明の第２実施例の気象情報警告システム２における第２の子機１８のハードウェアの構成の一例を図２０（ａ）（ｂ）に示す。図２０（ａ）は第２の子機１８の構成を示す正面図であり、図２０（ｂ）は第２の子機１８の構成を示す下面図である。
図２０ａ）（ｂ）に示すように、第２の子機１８は所定厚さの直方体状のケースを備え、このケースの上面から閉域通信網用のアンテナ２５ａが突出して設けられている。ただし、親機１４Ｂとの距離によってはアンテナ２５ａに替えて内部アンテナを設けるようにしてもよい。ケースの前面の中央には警報装置２８が設けられ、右上側にＬＥＤ等のランプからなる警告表示器２４が設けられ、左下側に停止スイッチ２７ｂが設けられている。また、ケースの内部には警報装置２８、警告表示器２４、マイクロコントローラ２１、閉域通信網通信Ｉ／Ｆ２５の回路部が収納され、電源コネクタ２７ａがケースの下面に設けられている。電源コネクタ２７ａには、商用電源に装着されたＡＣアダプタの電源ケーブルの先端に設けられているプラグが装着され、これにより、所定電圧に降圧された直流電圧が第２の子機１８に供給されるようになる。また、電源コネクタ２７ａをＵＳＢコネクタとして、ＵＳＢ端子を有する機器から第２の子機１８に電源を供給するようにしてもよい。また、ケースの背面には、第２の子機１８を家屋の壁面等に取り付ける取付部２９が設けられている。取付部２９は、例えば磁石や接着剤等とされる。
【００３１】
次に、本発明の第２実施例の気象情報警告システム２における親機１４Ｂの構成を示す機能ブロック図を図１４に示す。
親機１４Ｂは図１４に示すように、マイクロコントローラ３１、広域通信網通信Ｉ／Ｆ３２、閉域通信網通信Ｉ／Ｆ３３とを備え、これらをバスにより接続している。また、各部へ電源を供給する電源装置３６を備えている。マイクロコントローラ３１は、前述した図４に示す構成と同様とされ、ＣＰＵ４１、ＲＯＭ４２、ＲＡＭ４３、Ｉ／Ｏ４４を備え、これらをバス４５で接続して構成されているが、ＲＯＭ４２には親機１４Ｂ用の制御プログラムが記憶されている。マイクロコントローラ３１では、ＲＯＭ４２に記憶されている親機１４Ｂ用の制御プログラムをＣＰＵ４１が実行することにより、親機１４Ｂの動作を統括制御している。すなわち、マイクロコントローラ３１におけるＣＰＵ４１は、閉域通信網通信Ｉ／Ｆ３３を介して第１の子機１７ａ〜１７ｉおよび第２の子機１８ａ〜１８ｊから送信された子機ＩＤ付きの位置情報と、第１の子機１７ａ〜１７ｉから送信された子機ＩＤ付きのセンサー情報とを受信して広域通信網通信Ｉ／Ｆ３２を介して情報提供部１２に送信する。そして、情報提供部１２から警告表示の変更指示を受信した場合は、警告表示変更指示を閉域通信網通信Ｉ／Ｆ３３を介して第１の子機１７ａ〜１７ｉへ送信して、警告表示変更指示に応じて第１の子機１７の警告表示器２４を点灯させる警告表示を行わせる。さらに、警告表示変更指示を閉域通信網通信Ｉ／Ｆ３３を介して第２の子機１８ａ〜１８ｊへ送信して、警告表示変更指示に応じて第２の子機１８ａ〜１８ｊの警告表示器２４を点灯させる警告表示を行わせると共に、警報装置２８で警告表示変更指示に応じた警報が発せられるようにする。この場合、情報提供部１２から送信される警告表示変更指示は、第１の子機１７ａ〜１７ｉおよび第２の子機１８ａ〜１８ｊの内の気象異常が発生するおそれがある局所的な地域に設置されている第１の子機１７および第２の子機１８に対する警告表示変更指示とされる。
なお、電源装置３６は、商用電源を所定電圧の直流電圧に降圧する電源装置とされている。また、電源装置３６は、商用電源に替えて使用電力容量に合わせた大容量キャパシタあるいは２次電池と、充電用の太陽光パネルとから構成するようにしてもよい。
【００３２】
上述したように、本発明の第２実施例の気象情報警告システム２における閉域通信網１９において、親機１４Ｂが閉域通信網１９に属する第１の子機１７ａ〜１７ｉおよび第２の子機１８ａ〜１８ｊから送出された子機ＩＤ付きの設置された地点の位置情報、子機ＩＤ付きのセンサー情報（測定データ＋時刻情報）を受信すると、親機１４Ｂは、インターネット通信網や公衆通信網からなる広域通信網１３を介して情報提供部１２に、受信した子機ＩＤ付きの設置された地点の位置情報および子機ＩＤ付きのセンサー情報を送る。情報提供部１２は、情報配信サーバー１２ａとデータ処理サーバー１２ｂとデータベース部１２ｃとを備えており、情報提供部１２の構成を図１５（ａ）に示す。
図１５（ａ）に示す構成の本発明の第２実施例の気象情報警告システム２における情報提供部１２では、親機１４Ｂから広域通信網１３を介して送られてきたデータが広域通信網通信Ｉ／Ｆ１２ｄを介して受信されて、データ処理サーバー１２ｂに渡される。データ処理サーバー１２ｂは、受信したデータが子機ＩＤ付きの位置情報であった場合は、その位置情報を子機ＩＤと関連付けてデータベース部１２ｃのセンサー座標ＤＢ（ＤＢ：データベース）５１に書き込む。この位置情報は、地図上の座標を示している。また、子機ＩＤ付きのセンサー情報（測定データ＋時刻情報）の場合は、現在時刻と共に子機ＩＤ付きのセンサー情報（測定データ＋時刻情報）を子機ＩＤおよび取得時刻と関連付けてデータベース部１２ｃのセンサー情報ＤＢ５２に書き込む。これにより、親機１４Ｂから送出された第１の子機１７ａ〜１７ｉで検出されたセンサー情報（測定データ＋時刻情報）が、子機ＩＤと関連付けられてセンサー情報ＤＢ５２に時々刻々と書き込まれていくようになる。
【００３３】
データベース部１２ｃは、第１の子機１７および第２の子機１８の各々の位置情報を子機ＩＤと関連付けて記憶するセンサー座標ＤＢ５１、センサー情報を子機ＩＤおよび取得時刻と関連付けて記憶するセンサー情報ＤＢ５２と、センサー情報ＤＢ５２に記憶されているセンサー情報に基づいて算出された気温・気圧の測定データの標準偏差を記憶するセンサー値標準偏差ＤＢ５３、例えば日本全国とされるマップを作成するための地形・道路・河川の他、座標データを地図情報として保有している地図情報ＤＢ５４、気象異常が発生するおそれがあることを報知する地域毎の登録者の情報が記憶されている登録者情報ＤＢ５５を備えている。
情報配信サーバー１２ａ内に設けられているデータ処理装置５０は、センサー情報ＤＢ５２に記憶されているセンサー情報に基づいて気温・気圧の測定データの標準偏差を算出する。算出された標準偏差はセンサー値標準偏差ＤＢ５３に記憶される。また、データ処理装置５０は、センサー情報ＤＢ５２に記憶されているセンサー情報に基づいて所定のエリア内の気温・気圧の測定データの最大値および最小値を算出して、その偏差を算出する。そして、偏差が標準偏差を超えたときに、警告表示の変更指示を作成する。この警告表示変更指示は、情報配信サーバー１２ａから広域通信網通信Ｉ／Ｆ１２ｄを介して広域通信網１３に送出され、親機１４Ｂが指示を受信する。警告表示変更指示を受信した親機１４Ｂは上述した動作を行う。
【００３４】
また、データ処理装置５０は、閲覧要求を情報配信サーバー１２ａが受け付けた際に、閲覧要求された地点を含む所定のエリアのマップを作成する。このマップは、例えば第１レイヤーの表示情報と、第１レイヤーに重ねられる第２レイヤーの表示情報とから構成される。第１レイヤーの表示情報として、所定のエリアの地図情報が地図情報ＤＢ５４から読み出されて設定され、第２レイヤーの表示情報として、第１の子機１７ａ〜１７ｉの設置位置に対応する位置に配置される子機を示すアイコンが設定される。この各第１の子機１７を示すアイコンにおいては、当該第１の子機１７で計測された気温・気圧の測定データの変動の大きさが色調の濃淡で示される。作成されるマップについては後述する。
【００３５】
さらに、データ処理装置５０は、センサー情報ＤＢ５２に記憶されているセンサー情報に基づいて所定のエリア内の気温・気圧の測定データが有意な変化をしたことを検出した場合は、登録者情報ＤＢ５５から、所定のエリア内において登録されている登録者情報を検索し、検索された対象とする登録者に対応する端末群１０の携帯電話１０ａあるいはＰＣ１０ｂに対し、気象情報が発生するおそれがあることのメッセージを電子メール等で報知する。この場合、登録者にショートメッセージサービス（ＳＭＳ）で送ることができる場合は、ＳＭＳを用いてメッセージを報知する。この報知を受けた登録者が、自身の携帯電話１０ａあるいはＰＣ１０ｂから情報提供部１２にマップの閲覧要求を行うと、その登録者に登録されている携帯電話１０ａあるいはＰＣ１０ｂに、上記したようにデータ処理装置５０で作成された閲覧要求した登録者のいる地点、あるいは登録者が指定した地点を含む所定のエリアのマップが、情報配信サーバー１２ａから配信される。登録者の携帯電話１０ａあるいはＰＣ１０ｂのディスプレイには、配信されたマップが表示されて閲覧できる。すなわち、登録者が閲覧者となる。なお、携帯電話１０ａあるいはＰＣ１０ｂはＧＰＳ等を利用して現在の位置情報を検出し、閲覧要求に位置情報を付加して送出することができる。
また、データ処理装置５０は、閲覧要求された現在の時刻のリアルタイムのマップを含む、直近の過去から現在の時刻までのいくつかのマップが作成されており、閲覧者は、閲覧者がいる位置情報あるいは閲覧者が指定した位置情報に応じたエリアの時々刻々と推移するリアルタイムのマップを閲覧できる。
【００３６】
本発明の第２実施例の気象情報警告システム２における情報配信サーバー１２ａの構成を図１５（ｂ）に示す。図１５（ｂ）に示す情報配信サーバー１２ａは、ＣＰＵ６１、ＲＯＭ６２、ＲＡＭ６３、Ｉ／Ｏ６４、データ処理装置５０を備え、これらをバス６５で接続して構成されている。ＣＰＵ６１は、情報配信サーバー１２ａの動作を統括制御する制御手段であり、ＲＯＭ６２に記憶された制御プログラムをＣＰＵ６１が実行することにより、気象異常が発生するおそれがあることを電子メール等で報知したり、閲覧要求があった際に、データ処理装置５０に閲覧者がいる位置情報あるいは閲覧者が指定した位置情報に対応するエリアのマップを作成させて配信したりする上記した動作が行われる。
【００３７】
また、本発明の第２実施例の気象情報警告システム２におけるデータ処理サーバー１２ｂおよびデータ処理装置５０は図１５（ｃ）に示す構成とすることができる。図１５（ｃ）に示すデータ処理装置５０（データ処理サーバー１２ｂ）は、ＣＰＵ７１、ＲＯＭ７２、ＲＡＭ７３、Ｉ／Ｏ７４を備え、これらをバス７５で接続して構成されている。データ処理装置５０の場合は、ＲＯＭ７２にデータ処理装置５０の動作を統括制御する制御プログラムが記憶されており、この制御プログラムをＣＰＵ７１が実行することにより、警告表示変更指示の作成やマップを作成する処理が行われる。また、データ処理サーバー１２ｂの場合は、ＲＯＭ７２にデータ処理サーバー１２ｂの動作を統括制御する制御プログラムが記憶されており、この制御プログラムをＣＰＵ７１が実行することにより、第１の子機１７および第２の子機１８の位置情報を子機ＩＤと関連付けてセンサー座標ＤＢ５１に書き込むと共に、第１の子機１７からのセンサー情報（測定データ＋時刻情報）が、子機ＩＤと関連付けられてセンサー情報ＤＢ５２に時々刻々と書き込まれていくようになる。
【００３８】
次に、本発明の第２実施例にかかる気象情報警告システム２において、親機１４Ｂと第１の子機１７および第２の子機１８の設置位置を概略的な地図で図１６に示す。図１６は、親機１４Ｂと第１の子機１７および第２の子機１８が現実に設置される位置を示している。
図１６に示すように、エリアＡは、ブロックＡ−１〜ブロックＡ−９の９ブロックからなり、各ブロック間には道路が走っている。エリアＡを管轄する親機１４ＢがエリアＡの中央のブロックＡ−５に設置されており、ブロックＡ−１〜ブロックＡ−９の各ブロック内に、それぞれ１４台の第１の子機１７と１台の第２の子機１８が設置されると共に、各ブロック間の道路に複数の第１の子機１７が設置されている。親機１４Ｂの設置位置は二重丸の図形で示されており、第１の子機１７の設置位置は円が半截された図形で示されており、半截された図形によりセンサー２２が温度センサーと気圧センサーとを備えていることを示している。第２の子機１８の設置位置は、家の概略図形で示されている。なお、局所的に起きる急激な気象の変化を監視するために、数百ｍ以下の短い設置間隔とされて、センサー２２を備える第１の子機１７が設置されている。
【００３９】
ここで、第１の子機１７において、電源装置２７を大容量キャパシタ、あるいは、２次電池と充電用の太陽光パネルとから構成すると共に、閉域通信網通信Ｉ／Ｆ２５を、無線ＬＡＮなどのワイヤレスの閉域通信網用のインタフェースとすることにより、第１の子機１７を道路や道路以外の地面の任意の場所に設置することができるようになる。これにより、第１の子機１７は、エリアＡの道路、エリアＡの各ブロック内の道路以外の公園や避難所、広場、田んぼの中や畦、住宅の庭、河川敷内などにも設置可能となる。
また、第２の子機１８は上記したように図２０（ａ）（ｂ）に示す構成とされ、家屋の屋内に設置されている。
【００４０】
上記したように親機１４Ｂおよび複数の第１の子機１７および第２の子機１８が設置されたエリアＡにおいて、１０：００の時点での気温・気圧の情報が図１６に示されている。第１の子機１７の各子機の設置位置に示されている半截された円の上半部は温度、下半部は気圧の変動情報を示している。色調の濃淡が気温・気圧の振れ幅を示している。図１６では、一定の気温と一定の気圧となっていることが示されている。
時刻が１０:００から５分経過した１０:０５となった時刻におけるエリアＡの気温・気圧の情報が図１７に示されている。図１７を参照すると、ブロックＡ−４の略中央部付近の第１の子機１７において、周囲に比べ気温の変動が発生していると共に、気圧の変動が発生しているが分かる。
【００４１】
時刻１０：０５にブロックＡ−４の略中央付近での気温・気圧変動を検知した後、発生箇所の周囲の第１の子機１７および第２の子機１８における警告表示器２４により警告表示が行われる時刻１０:１０の態様が図１８に示されている。警告表示変更指示は、上述したように情報提供部１２のデータ処理装置５０が、センサー情報ＤＢ５２に記憶されているエリアＡ内の気温・気圧の測定データの最大値および最小値を算出して、その偏差を算出し、偏差が標準偏差を超えたことを検出したときに作成され、警告表示変更指示は、情報配信サーバー１２ａから送出されて、広域通信網１３および親機１４Ｂを介して第１の子機１７および第２の子機１８が受信する。警告表示変更指示には、警告表示の変更指示を行う子機の子機ＩＤが１つ以上添付されており、親機１４Ｂは添付された子機ＩＤの子機ＩＤの子機に対して警告表示変更指示を送信し、警告表示変更指示を受信した子機は、警告表示変更指示に応じて警告表示器２４の点灯あるいは消灯を行う。例えば、データ処理装置５０がエリアＡの測定データに基づいて上述した動作を行い、急激な気候変動が起きたと判断した際に作成された警告表示変更指示は、気候変動の発生箇所の周囲の局所的な地域に設置されている第１の子機１７が受信すると共に、第２の子機１８が受信し、両子機において、警告表示器２４を点灯させて警告表示を行うようになる。第２の子機１８ではさらに警報装置２８により警報を発する。気候変動の発生箇所の周囲の第１の子機１７は、センサー座標ＤＢ５１に子機ＩＤに関連させて記憶された第１の子機１７の設置位置の位置情報から決定することができる。
気候変動の発生箇所の周囲の局所的な地域に設置されている第１の子機１７および第２の子機１８による警告表示は、図１８に示すようにブロックＡ−４内および、その周囲のブロックであるブロックＡ−１、ブロックＡ−５，ブロックＡ−７，ブロックＡ−８の局所的な地域に設置された第１の子機１７と、各ブロックの第２の子機１８で警告表示されることから、これらのブロックの人たちに近くで急激な気候変動が発生しており、竜巻が発生する恐れがあることを通知することができる。
【００４２】
本発明の第２実施例の気象情報警告システム２において、閲覧者が閲覧するマップの一例を図１９に示す。マップは、上述した第１レイヤーおよび第２レイヤーの表示情報からなり、閲覧者の携帯電話１０ａあるいはＰＣ１０ｂのブラウザで第１レイヤーに第２レイヤーが重ねられて表示されるが、図１９では第１レイヤーの地図を省略して示している。また、図１９に示すハザードマップが示されるエリアは、地点Ａに閲覧者が位置するエリアＡとされており、時刻が気温・気圧変動を検知した時刻１０：１０の時のマップとされている。第１の子機１７を示すアイコンは第２レイヤーの表示情報とされており、気温・気圧を表せるよう半截された円形の図形とされ、半截された上半部と下半部の部位において気温・気圧の振れ幅が色調の濃淡で示されている。すなわち、第１の子機１７のアイコンにおいてアイコンの上半分あるいは下半分の表示色が濃い色で示されている第１の子機１７の設置位置においては、急激な気候変動が生じていることが分かる。
【００４３】
第１の子機１７は、前述した図８（ａ）に示す構成とすることができ、警告表示器２４では、図８（ｂ）に示すように１段の発光から４段の発光まで発光パターンを変化させることで、気温・気圧のセンサー情報の変動の幅が示される。すなわち、図８（ｂ）の右端に示すように警告表示部１１１を介して全段の発光が視認される場合は、第１の子機１７の設置地点においては気象異常が発生するおそれが高いことが分かる。
なお、第１の子機１７を自立する構成の道路付属物に収納あるいは取り付けることにより、第１の子機１７を、道路または道路以外の公園や避難所、広場、田んぼの中や畦、住宅の庭、河川敷内などにも設置可能となり、図１６に示すようにエリアＡの道路または各ブロック内の道路以外の場所に設置できるようになる。
【００４４】
次に、本発明の第２実施例の気象情報警告システム２における第１の子機１７において実行される第１子機処理のフローチャートを図２１に示す。第１の子機１７が所定の地点に設置されて、電源装置２７がオンされると図２１に示す第１子機処理をマイクロコントローラ２１が開始する。
子機処理が開始されると、ステップＳ２０にてマイクロコントローラ２１は、位置測位装置２３が現在位置、すなわち、第１の子機１７が設置された地点の座標である位置情報が、ＧＰＳ等の測位部から取得されたか否かを判断する。ここで、位置情報が取得されない場合（ＮＯ）は取得されるまで待機し、位置情報が取得されたとマイクロコントローラ２１が判断した場合（ＹＥＳ）はステップＳ２１に進む。ステップＳ２１でマイクロコントローラ２１は、取得された位置情報に当該第１の子機１７に一意に割り当てられている子機ＩＤを付加して、当該第１の子機１７が属する親機１４Ｂに閉域通信網１９を介して送信する。次いで、ステップＳ２２にてマイクロコントローラ２１は、所定の時間、例えば１分とされるｔ時間待機してからステップＳ２３に進む。ステップＳ２３でマイクロコントローラ２１は、センサー２２で検出されている気温・気圧を計測すると共に、測定データの取得時刻を検出する。次いで、ステップＳ２４にてマイクロコントローラ２１は計測された測定データとその取得時刻からなるセンサー情報に子機ＩＤを付加して閉域通信網１９を介して属する親機１４Ｂに送信する。
【００４５】
次いで、ステップＳ２５にてマイクロコントローラ２１は、閉域通信網通信Ｉ／Ｆ２５により親機１４Ｂから警告表示の変更指示を受信したか否かを判断する。ここで、マイクロコントローラ２１が警告表示の変更指示を受信したと判断した場合（ＹＥＳ）は、ステップＳ２６に進みマイクロコントローラ２１は、変更指示に応じて警告表示の点灯あるいは消灯を警告表示器２４で行う。また、ステップＳ２５でマイクロコントローラ２１が警告表示変更指示を受信していないと判断した場合（ＮＯ）は、ステップＳ２２に戻りステップＳ２２ないしステップＳ２６の処理が繰り返し行われるようになる。これにより、第１の子機１７は、ｔ期間ごとにセンサー２２から取得した気温・気圧の測定データとその取得時刻からなるセンサー情報を親機１４Ａに送信する。
なお、第１子機処理は第１の子機１７の電源装置２７がオンされている限り実行されており、電源装置２７がオフされた際に第１子機処理は終了する。
【００４６】
次に、本発明の第２実施例の気象情報警告システム２における第２の子機１８において実行される第２子機処理のフローチャートを図２２に示す。第２の子機１８が所定の地点に設置されて、電源装置２７がオンされると図２２に示す第２子機処理をマイクロコントローラ２１が開始する。
子機処理が開始されると、ステップＳ４０にてマイクロコントローラ２１は、位置測位装置２３が現在位置、すなわち、第２の子機１８が設置された地点の座標である位置情報が、ＧＰＳ等の測位部から取得されたか否かを判断する。ここで、位置情報が取得されない場合（ＮＯ）は取得されるまで待機し、位置情報が取得されたとマイクロコントローラ２１が判断した場合（ＹＥＳ）はステップＳ４１に進む。ステップＳ４１でマイクロコントローラ２１は、取得された位置情報に当該第２の子機１８に一意に割り当てられている子機ＩＤを付加して、当該第２の子機１８が属する親機１４Ｂに閉域通信網１９を介して送信する。次いで、ステップＳ４２にてマイクロコントローラ２１は、閉域通信網通信Ｉ／Ｆ２５により親機１４Ｂから警告表示の点灯指示、警報指示を受信したか否かを判断する。この警告表示の点灯指示、警報指示は、警告表示変更指示により指示される。ここで、マイクロコントローラ２１が警告表示の変更指示を受信したと判断した場合（ＹＥＳ）は、ステップＳ４３に分岐しマイクロコントローラ２１は、変更指示に応じて警告表示の点灯あるいは消灯を警告表示器２４で行うと共に、警報装置２８において変更指示に応じた警報を発する処理あるいは発している警報の作動を停止する処理を行う。また、ステップＳ４２でマイクロコントローラ２１が警告表示変更指示を受信していないと判断した場合（ＮＯ）は、ステップＳ４４に進みマイクロコントローラ３１は、停止スイッチ２７ｂが押されて操作されたか否かを判断する。ここで、停止スイッチ２７ｂが操作されたとマイクロコントローラ３１が判断した場合は、ステップＳ４５に進みマイクロコントローラ３１は、警告表示器２４を消灯すると共に警報装置２８の作動を停止する。また、ステップＳ４４でマイクロコントローラ２１が停止スイッチ２７ｂが操作されていないと判断した場合（ＮＯ）、あるいはステップＳ４３またはステップＳ４５の処理が終了した場合は、ステップＳ４２に戻りステップＳ４２ないしステップＳ４５の処理が繰り返し行われるようになる。
なお、第２子機処理は第２の子機１８の電源装置２７がオンされている限り実行されており、電源装置２７がオフされた際に第２子機処理は終了する。
【００４７】
次に、本発明の第２実施例の気象情報警告システム２における親機１４Ｂにて実行される親機処理のフローチャートを図２３に示す。親機１４Ｂが所定の場所に設置されて、電源装置３６がオンされると図２３に示す親機処理をマイクロコントローラ３１が開始する。
親機処理が開始されると、ステップＳ１３０にてマイクロコントローラ３１は、当該親機１４Ｂに属している第１の子機１７および第２の子機１８から送信されたデータを受信する。このデータは、子機ＩＤを付加した第１の子機１７および第２の子機１８が設置された地点の位置情報、あるいは、第１の子機１７で取得された気温・気圧の測定データとその取得時刻からなるセンサー情報である。次いで、ステップＳ１３１にてマイクロコントローラ３１は、受信した子機ＩＤ付きの位置情報とセンサー情報とを情報提供部１２のデータ処理サーバー１２ｂ送信する。次いで、ステップＳ１３２にてマイクロコントローラ３１は、情報配信サーバー１２ａよりデータを受信したか否かを判断する。このデータは、情報配信サーバー１２ａから送信される警告表示変更指示のデータであり、急激に測定データが変化した第１の子機１７の周囲の第１の子機１７の子機ＩＤと、第２の子機１８の子機ＩＤとが添付されている。ここで、マイクロコントローラ３１が情報配信サーバー１２ａからデータを受信したと判断した場合（ＹＥＳ）は、ステップＳ１３３でマイクロコントローラ３１は、警告表示変更指示のデータを添付されている子機ＩＤの第１の子機１７および第２の子機１８に送信する。ステップＳ１３２でマイクロコントローラ３１が、情報配信サーバー１２ａからデータを受信していないと判断した場合（ＮＯ）と、ステップＳ１３３の処理が終了した場合は、ステップＳ１３０に戻り、ステップＳ１３０ないしステップＳ１３３の処理が繰り返し行われるようになる。親機処理は、電源装置３６がオフされた際に終了する。
【００４８】
本発明の第２実施例の気象情報警告システム２における情報提供部１２は、親機１４Ｂから送信された子機ＩＤを付加した第１の子機１７および第２の子機１８の位置情報、および、子機ＩＤを付加した第１の子機１７からのセンサー情報（測定データ＋取得時刻）を、広域通信網通信Ｉ／Ｆ１２ｄを介して受信し、データ処理サーバー１２ｂがセンサー座標ＤＢ５１あるいはセンサー情報ＤＢ５２に格納する。データ処理サーバー１２ｂが実行するＤＢ書込処理のフローチャートを図２４に示す。
図２４に示すＤＢ書込処理は、データ処理サーバー１２ｂの電源が投入されたときに起動する。起動されるとステップＳ４０でＣＰＵ７１は、親機１４Ｂからデータを受信する。受信できない場合は、受信できるまで待機する。受信するデータは、子機ＩＤを付加した第１の子機１７および第２の子機１８の位置情報、あるいは、第１の子機１７が取得した測定データとその取得時刻からなる子機ＩＤ付きのセンサー情報である。次いで、ステップＳ４１でＣＰＵ７１は、受信したデータが、子機ＩＤを付加した第１の子機１７および第２の子機１８の位置情報の場合は、Ｉ／Ｏ７４を介してセンサー座標ＤＢ５１にその子機ＩＤに関連つけて位置情報を書き込み、第１の子機１７が取得した子機ＩＤ付きのセンサー情報の場合は、Ｉ／Ｏ７４を介してセンサー情報ＤＢ５２に取得時刻と測定データを取得した第１の子機１７の子機ＩＤに関連して書き込む。ステップＳ４１の処理が終了するとステップＳ４０にリターンして、ステップＳ４０，Ｓ４１の処理が繰り返し実行される。ＤＢ書込処理は、データ処理サーバー１２ｂの電源がオフされた際に終了する。
【００４９】
次に、情報配信サーバー１２ａのデータ処理装置５０で実行されるデータ処理装置処理のフローチャートを図２５に示す。図２５に示すデータ処理装置処理は、情報配信サーバー１２ａの電源が投入された時に起動する。
データ処理装置処理が起動されるとステップＳ５０でＣＰＵ７１は、所定の時間ｔ（例えば、１分）だけ待機してステップＳ５１に進む。ステップＳ５１でＣＰＵ７１は、センサー情報ＤＢ５２に記憶されている所定のエリアＡにおけるセンサー情報の測定データの最大値と最小値とを算出する。次いで、ステップＳ５２でＣＰＵ７１は、所定のエリアＡにおけるセンサー情報の測定データの標準偏差を算出してセンサー値標準偏差ＤＢ５３に書き込む。そして、ステップＳ５３でＣＰＵ７１は、センサー情報ＤＢ５２に記憶されている所定のエリアＡにおけるセンサー情報の測定データの最大値と最小値との偏差が、センサー値標準偏差ＤＢ５３に記憶されている標準偏差を超えたか否かを判断する。ここで、標準偏差を超えたとＣＰＵ７１が判断した場合（ＹＥＳ）はステップＳ５５に分岐し、ステップＳ５５でＣＰＵ７１は、警告・警報作動指示である警告表示変更指示を作成する。警告表示変更指示には、最大値と最小値の偏差が標準偏差を超えた測定データを検出した第１の子機１７の周囲の局所的な地域に設置されている第１の子機１７および第２の子機１８に送信するための、子機ＩＤが添付されている。この場合、最大値と最小値の偏差が標準偏差を超えた測定データを検出した第１の子機１７の識別は、センサー情報ＤＢ５２内の子機ＩＤに関連させて保存されているセンサー情報から識別することができ、当該第１の子機１７の周囲の第１の子機１７はセンサー座標ＤＢ５１に子機ＩＤに関連させて保存されている位置情報から決定することができる。また、ステップＳ５３でＣＰＵ７１が、標準偏差を超えていないと判断した場合（ＮＯ）はステップＳ５４に進みＣＰＵ７１は、第１の子機１７および第２の子機１８に対する警告・警報停止指示である警告表示変更指示を作成する。ステップＳ５４あるいはステップＳ５５の処理が終了すると、ステップＳ５０に戻りステップＳ５０ないしステップＳ５５の処理が繰り返し行われるようになる。これにより、ｔ間隔毎に警告・警報作動指示あるいは警告、警報停止指示である警告表示変更指示が作成されるようになる。データ処理装置処理は、情報配信サーバー１２ａの電源がオフされた際に終了する。
【００５０】
次に、情報配信サーバー１２ａで実行される情報配信サーバー処理のフローチャートを図２６に示す。図２６に示す情報配信サーバー処理は、情報配信サーバー１２ａの電源が投入された時に起動する。
情報配信サーバー処理が起動されるとステップＳ６０でＣＰＵ６１は、データ処理装置５０で親機１４Ｂへのデータである警告表示変更指示が作成されたか否かを判断する。ここで、親機１４Ｂへのデータが作成されていない場合（ＮＯ）は作成されるまで待機し、親機への配信データが作成されたとＣＰＵ６１が判断した場合（ＹＥＳ）は、ＣＰＵ６１は、親機１４Ｂへ、データ処理装置処理のステップＳ５４あるいはステップＳ５５で作成されたデータである警告表示変更指示を送信する。ステップＳ６０の処理は繰り返し実行される。情報配信サーバー処理は、情報配信サーバー１２ａの電源がオフされた際に終了する。
【００５１】
上記したように、データ処理装置５０では、所定時間ｔ毎に第１の子機１７で取得された気温・気圧の測定データにおける最大値と最小値の偏差が標準偏差を超えたか否かを監視しており、標準偏差を超えていれば警告・警報を行う警告表示変更指示のデータを作成し、標準偏差を超えなくなった場合には、警告・警報を停止する警告表示変更指示のデータを作成する。次いで、閉域通信網１９の親機１４Ｂに作成されたデータを送信する。このデータを受信した親機は、警告表示変更指示に添付されている子機ＩＤの第１の子機１７および第２の子機１８に警告表示変更指示を送信する。この警告表示変更指示を受信した第１の子機１７は、警告表示変更指示に応じた警告表示を行い、第２の子機１８は警告表示変更指示に応じた警告表示を行うと共に警報を発する。これにより、標準偏差を超えて気象異常が発生するおそれがある場合には、図１８に示すように気候変動の発生箇所の周囲の局所的な地域に設置されている第１の子機１７において警告表示が行われると共に、第２の子機１８において警告表示と警報が作動される。すなわち、急激な気温変化等があった場合は、気候変動の発生箇所の周囲の局所的な地域に設置されている第１の子機１７における警告表示と、各家屋内に設置された第２の子機１８における警告・警報とにより、気候変動の発生箇所の周辺の通行者や居住者に気象異常が発生するおそれがあることを通知できることから、気象異常の情報を取得するよう通行者や居住者に促すことができるようになる。
【００５２】
次に、情報配信サーバー１２ａで実行されるメッセージ配信処理（１）のフローチャートを図２７に示す。図２７に示すメッセージ配信処理（１）は、情報配信サーバー１２ａの電源が投入された時に起動する。情報配信サーバー１２ａは、上記したように図１５（ｂ）の構成とされている。
メッセージ配信処理（１）が起動されるとステップＳ７０で、ＣＰＵ６１はセンサー情報ＤＢ５２に記憶されている所定のエリアＡにおけるセンサー情報の測定データにおいてデータが有意な変化をしたか否かを判断する。ここで、データが有意な変化をしてないとＣＰＵ６１が判断した場合（ＮＯ）はデータが変化するまでステップＳ７０で待機される。ステップＳ７０でデータが有意な変化をしたとＣＰＵ６１が判断した場合（ＹＥＳ）は、ステップＳ７１に進み警告メッセージあるいは警告解除メッセージをＣＰＵ６１が作成する。この場合、測定データの変化に基づいて気象異常が発生するおそれがあるとＣＰＵ６１が判断した場合に警告メッセージが作成され、気象異常が発生するおそれが去ったとＣＰＵ６１が判断した場合に警告解除メッセージが作成される。次いで、ステップＳ７２でＣＰＵ６１は、気象異常が発生するおそれがあるエリアＡにおいて登録者情報ＤＢ５５に登録されている登録者を抽出する。そして、ステップＳ７３でＣＰＵ６１は、作成したメッセージは配信済みか否かを判断する。ここで、配信済みでないとＣＰＵ６１が判断した場合（ＮＯ）は、ステップＳ７４に分岐してステップＳ７２で抽出した登録者に作成したメッセージを配信する。また、配信済みとＣＰＵ６１が判断した場合（ＹＥＳ）と、ステップＳ７４の処理が終了した場合は、ステップＳ７０にリターンしてステップＳ７０ないしステップＳ７４の処理が繰り返し実行される。このように、警告／警告解除メッセージが作成されて、その領域にいる登録者にメッセージが配信されることから、登録者は遅滞なく気象異常が発生するおそれがある／気象異常が発生するおそれが去ったことを知ることができる。
【００５３】
次に、情報配信サーバー１２ａで実行される別のメッセージ配信処理（２）のフローチャートを図２８に示す。図２８に示すメッセージ配信処理（２）は、情報配信サーバー１２ａの電源が投入された時に起動する。情報配信サーバー１２ａは、上記したように図１５（ｂ）の構成とされている。
メッセージ配信処理（１）が起動されるとステップＳ８０で、ＣＰＵ６１はセンサー情報ＤＢ５２に記憶されている所定のエリアＡにおけるセンサー情報の測定データにおいてデータが有意な変化をしたか否かを判断する。ここで、データが有意な変化をしてないとＣＰＵ６１が判断した場合（ＮＯ）はデータが有意な変化をするまでステップＳ８０で待機される。ステップＳ８０でデータが有意な変化をしたとＣＰＵ６１が判断した場合（ＹＥＳ）は、ステップＳ８１に進み警告メッセージあるいは警告解除メッセージをＣＰＵ６１が作成する。この場合、測定データの変化に基づいて気象異常が発生するおそれがあるとＣＰＵ６１が判断した場合に警告メッセージが作成され、気象異常が発生するおそれが去ったとＣＰＵ６１が判断した場合に警告解除メッセージが作成される。次いで、ステップＳ７２でＣＰＵ６１は、気象異常が発生するおそれがあるエリアＡに属する携帯電話基地局を指定する。そして、ステップＳ８３でＣＰＵ６１は、作成したメッセージは配信済みか否かを判断する。ここで、配信済みでないとＣＰＵ６１が判断した場合（ＮＯ）は、ステップＳ８４に分岐してステップＳ８２で指定した携帯電話基地局から作成したメッセージを登録者情報ＤＢ５５に登録されている登録者に配信する。また、配信済みとＣＰＵ６１が判断した場合（ＹＥＳ）と、ステップＳ８４の処理が終了した場合は、ステップＳ８０にリターンしてステップＳ８０ないしステップＳ８４の処理が繰り返し実行される。このように、警告／警告解除メッセージが作成されて、その領域にいる登録者にメッセージが配信されることから、登録者は遅滞なく気象異常が発生するおそれがある／気象異常が発生するおそれが去ったことを知ることができる。
【００５４】
次に、情報配信サーバー１２ａで実行される閲覧要求処理のフローチャートを図２９に示す。図２９に示す閲覧要求処理は、情報配信サーバー１２ａの電源が投入された時に起動する。情報配信サーバー１２ａは、上記したように図１５（ｂ）の構成とされている。
閲覧要求処理が起動されるとステップＳ９０で、ＣＰＵ６１はマップの閲覧要求があったか否かを判断する。ここで、閲覧要求がないとＣＰＵ６１が判断した場合（ＮＯ）は、閲覧要求があるまでステップＳ９０で待機される。閲覧者が自身の携帯電話１０ａあるいはＰＣ１０ｂから閲覧要求を行い、ステップＳ９０で閲覧要求があったとＣＰＵ６１が判断した場合（ＹＥＳ）は、ステップＳ９１に進みマップをＣＰＵ６１が作成する。次いで、ステップＳ９２でＣＰＵ６１は、作成したマップを閲覧要求した閲覧者に配信する。ステップＳ９２の処理が終了するとステップＳ９０にリターンして、ステップＳ９０ないしステップＳ９２の処理が繰り返し実行されることから、閲覧要求がある毎にマップが作成されて、閲覧要求した閲覧者に配信されるようになる。閲覧要求処理は、情報配信サーバー１２ａの電源がオフされた際に終了する。
【００５５】
閲覧要求処理のステップＳ９１で実行されるマップ作成処理のフローチャートを図３０に示す。図３０に示すマップ作成処理は、情報配信サーバー１２ａのデータ処理装置５０で実行される。
閲覧要求処理のステップＳ９１の処理が開始されると、ハザードマップを作成処理が開始され、ステップＳ１００で、閲覧者のいる地点、あるいは、閲覧者が指定した地点の座標と閲覧要求の現在の時刻とをＣＰＵ７１が検出する。そして、ステップＳ１０１でＣＰＵ７１は、検出した座標の地点を含む所定範囲のエリアを設定し、当該エリアの地図を地図情報ＤＢ５４から取得して該地図をマップの第１レイヤーの表示情報として設定する。次いで、ステップＳ１０２でＣＰＵ７１は、センサー情報ＤＢ５２から、設定したエリアの各第１の子機１７の取得時刻が同時刻のセンサー情報を取得する。この場合、センサー情報ＤＢ５２から読み出される同時刻のセンサー情報は、閲覧要求された現在の時刻と、その時刻より過去の直近のいくつかの過去の時刻とのセンサー情報とされ、読み出されたセンサー情報は時刻毎にまとめられる。そして、ステップＳ１０３でＣＰＵ７１は、センサー座標ＤＢ５１から、設定したエリアの各第１の子機１７の座標を取得し、各第１の子機１７の設置位置に、各第１の子機１７を表すアイコンを配置し、時刻毎の第２レイヤーの表示情報として設定する。この場合、第１の子機１７を示すアイコンにおいては、当該第１の子機１７で計測された気温・気圧の測定データの変動の大きさが色調の濃淡で示される。次いで、ステップＳ１０４でＣＰＵ７１は、第１レイヤーの表示情報に、第２レイヤーの表示情報および時刻毎の第２レイヤーの表示情報を重ねた画像データを時刻毎に分けて作成し、設定したエリアの時刻毎のマップを作成する。ステップＳ１０４の処理が終了すると、マップ作成処理は終了し、閲覧請求処理のステップＳ９２にリターンする。
なお、第１の子機１７を示すアイコンにおいては、気温・気圧を表せるよう半截された円形の図形とされ、半截されたそれぞれの半円形の部位において気温・気圧の振れ幅が色調の濃淡で示されている。すなわち、アイコンの上半分あるいは下半分の表示色が濃い色で示されている第１の子機１７の設置位置においては、急激な気候変動が生じていることになる。
【００５６】
ところで、閲覧者が情報提供部１２にマップの閲覧要求を行うのは、自身の携帯電話１０ａあるいはＰＣ１０ｂにおけるブラウザから行い、情報提供部１２の情報配信サーバー１２ａから配信されてきたマップの画像データは、ブラウザで表示されるようになる。この場合、閲覧者に配信されるマップは、閲覧要求された現在の時刻と、その時刻より過去の直近のいくつかの過去の時刻との複数のマップとされる。これにより、閲覧者は、時間の推移に伴う気温・気圧の変化を、画面をスクロールすることにより観察することができる。なお、現在の時刻と、その時刻より過去の直近のいくつかの過去の時刻との複数のマップを動画に編集して配信することにより、閲覧者は過去の時刻から現在の時刻までのマップの変化が、動画とされたマップにより観察することができる。
【００５７】
本発明の実施例にかかる気象情報警告システムにおいて、子機１５や第１の子機１７を道路付属物に収納あるいは取り付けることにより、道路または道路以外の場所に設置できると説明した。この場合、子機１５や第１の子機１７における子機の機能を備える端末装置を道路付属物に一体化あるいは装着してもよい。さらには、子機の機能に加えて親機１４Ａあるいは親機１４Ｂの機能を備える端末装置としてもよい。このような端末装置を道路または道路以外の場所に設置できる道路付属物に一体化あるいは装着することで、第１実施例にかかる子機１５および親機１４Ａ、あるいは、第２実施例にかかる親機１４Ｂおよび第１の子機１７を、道路または道路以外の所望の場所に設置できるようになる。
【００５８】
子機の機能に加えて親機の機能を備える端末装置３００の構成の一例を図３１に示す。
図３１に示す端末装置３００は、マイクロコントローラ３０１、センサー３０２、位置測位装置３０３、警告表示器３０４、閉域通信網通信Ｉ／Ｆ３０５、広域通信網通信Ｉ／Ｆ３０６、記憶装置３０７とを備え、これらをバスにより接続している。また、各部へ電源を供給する電源装置３０８を備えている。マイクロコントローラ３０１は、端末装置３００の動作を統括制御する制御手段であり、時計機能を有している。具体的には、マイクロコントローラ３０１は、マイクロコントローラ３０１に記憶されている端末装置３００用の制御プログラムを実行することにより、子機１５あるいは第１の子機１７の機能を備える端末装置３００として動作する。すなわち、所定時間間隔でセンサー２２から気温・気圧の測定データを取り込むと共に、取得した時刻情報を取り込んで、センサー情報（測定データ＋取得時刻）を記憶装置３０７に書き込む。また、端末装置３００が設置された地点の位置情報が検出された際に、その位置情報を記憶装置３０７に書き込む。この場合、端末装置３００の位置情報は、位置測位装置３０３がＧＰＳ等を使用して測位した位置情報、あるいは、直接入力した端末装置３００の位置情報とされる。また、図示しないスイッチがオンされて電源装置３０８から電源が投入された際には、端末装置３００を初期化する。そして、記憶装置３０７に書き込まれている位置情報およびセンサー情報に、当該端末装置３００に割り当てられている一意の子機ＩＤを付加して閉域通信網通信Ｉ／Ｆ３０５を介して親機へ送信する。また、子機１５として機能させる場合は、マイクロコントローラ３０１が、センサー３０２から取得した気温・気圧の測定データの前回と今回のデータ値の差が、記憶装置３０７に記憶されている気象異常の閾値を超えたと判断した場合は、マイクロコントローラ３０１は、気象異常が発生したと云う警告表示を警告表示器３０４を点灯させることにより行う。さらに、親機から警告表示変更指示を受信した場合は、警告表示変更指示に応じて警告表示器３０４を点灯して警告表示をおこなう、あるいは、警告表示器３０４を消灯させて警告表示を停止させる。
【００５９】
警告表示器３０４は、発光ダイオード（ＬＥＤ）などの発光デバイスによって構成できる。なお、電源装置３０８は大容量キャパシタあるいは２次電池と、充電用の太陽光パネルとから構成することができる。
また、マイクロコントローラ３０１に記憶されている端末装置３００用の制御プログラムを実行することにより、端末装置３００を親機１４Ａあるいは親機１４Ｂとしても用いることができる。この場合、端末装置３００は、閉域通信網通信Ｉ／Ｆ３０５介して子機１５あるいは第１の子機１７から送信された子機ＩＤ付きのセンサー情報を受信して、広域通信網通信Ｉ／Ｆ３０６を介して情報提供部１２に送信する。また、警告表示を作動させるあるいは警告表示を停止させる警告表示変更指示を、閉域通信網に属する子機に閉域通信網通信３０５を介して送信するが、親機１４Ａとして機能させる場合は、マイクロコントローラ３０１は、記憶装置３０７内の測定データの最大値と最小値との差が、記憶装置３０７に記憶されている気象異常を示す閾値を超えたと判断した場合に、子機１５に警告表示の変更指示を送出する。また、親機１４Ｂとして機能させる場合は、マイクロコントローラ３０１は、情報提供部１２から警告表示変更指示を受信した場合に、第１の子機１７に警告表示の変更指示を送出する。
【００６０】
以上説明した端末装置３００を視線誘導標２００と一体化した構成の例を図３２に示す。
図３２は視線誘導標２００の構成を示す斜視図であり、視線誘導標２００は、子機１５や第１の子機１７における子機の機能を備える端末装置あるいは上述した端末装置３００のいずれかの端末装置００１を内蔵している。視線誘導標２００は、円筒状の縦に細長い樹脂製の円筒状ケース２１０と、円筒状ケース２１０の下端に装着される樹脂製あるいは金属製の基部２１３とから構成され、円筒状ケース２１０と基部２１３からなるケース内に端末装置００１が内蔵されている。視線誘導標２００の基部２１３の下面からは固定用のボルトが突出して設けられており、このボルトを道路等に設けられたアンカーナットに螺着することにより、視線誘導標２００を設置することができる。また、基部２１３の内部に水や砂をつめて設置することも可能であり、この場合は、視線誘導標２００を道路や道路以外の地面上に置くだけで子機や親機として利用することができる。これにより、視線誘導標２００は容易に設置することができたり、必要な時だけ（例えば、気象警報時）設置して、その後は撤去する等柔軟に対応できるようになる。視線誘導標２００の縦方向の長さＬ１は約３００ｍｍ〜１２００ｍｍとされ、基部２１３の外径Ｒ１は約２００ｍｍとされる。
【００６１】
視線誘導標２００における円筒状ケース２１０の上面には、太陽光パネル２１１とＧＰＳ（Global Positioning System）アンテナ２１２とが設けられている。太陽光パネル２１１は、端末装置００１の電源装置を構成する二次電池を充電する発電手段であり、ＧＰＳアンテナ２１２は、ＧＰＳ衛星からの電波を受信して、端末装置００１の位置測位装置に供給しており、これにより視線誘導標２００が設置された位置の座標を割り出している。図示していないが二次電池および位置測位装置、マイクロコントローラは、基部２１３の内部の収納空間に収納されている。円筒状ケース２１０の上部には矩形状の開口部２１０ａが縦に３つ並んで形成されている。この開口部２１０ａには、反射ガラスや反射シートが埋め込まれて、視線誘導標２００の機能を奏している。なお、開口部２１０ａの内側の位置に、気象異常が発生する恐れがあることを表示する警告表示器の発光部が配置されている。円筒状ケース２１０の内部の空間には、端末装置００１を構成する広域通信網用アンテナ部、閉域通信網用アンテナ部、気温・気圧のセンサーなどが収納されている。
【００６２】
図３２に示す視線誘導標２００を設置する態様を示す斜視図を図３３（ａ）（ｂ）に示す。
端末装置００１と一体化された視線誘導標２００を道路や道路以外の地面に設置する際には、道路や道路以外の地面を直方体状に切り出して示すグランド８０に断面が略円形の取付孔８０ａを穿ち、この取付孔８０ａ内に樹脂製あるいは金属製のアンカーナット８１を固着する。視線誘導標２００の基部２１３の下面からはボルト２１３ａが突出するよう設けられており、このボルト２１３ａをアンカーナット８１に螺着する。これにより、グランドに視線誘導標２００を設置することができる。
このように、視線誘導標２００は自立可能とされ、閉域通信網はワイヤレスとされると共に、外部からの電源供給を必要としない独立電源部を備えていることから、外部電源が確保できない道路以外の地面などに直接おいて設置可能となり、公園や避難所、広場、田んぼの中や畦、住宅の庭、河川敷内などの地面にも設置可能となる。
【産業上の利用可能性】
【００６３】
以上説明した本発明の第１実施例にかかる気象情報警告システムは、気象異常が過去の気象データから見て発生しやすいエリア毎にそれぞれ構築される。また、以上説明した本発明の第２実施例にかかる気象情報警告システムでは、閉域通信網が１つだけ設けられているが、気象異常が過去の気象データから見て発生しやすいエリア毎にそれぞれ閉域通信網を設けるようにしてもよい。この場合には、閉域通信網が設けられるエリア毎から取得されたセンサー情報に基づいて情報提供部が、各エリアで気象異常が発生する恐れがあるかを判断し、気象異常が発生する恐れがあると判断したエリアの親機へ警告表示を行う指示を送出するようにする。
本発明の実施例にかかる気象情報警告システムにおいて、子機からの気温・気圧のセンサー情報を受信してマップを作成する情報提供部は、マップ作成部と云うことができる。また閲覧要求された地点とは閲覧者がいる地点あるいは閲覧者が指定した地点とされる。
本発明の実施例にかかる気象情報警告システムでは、閲覧要求があった際にマップを作成して、閲覧要求した閲覧者に配信していたが、子機が検出した気温・気圧のセンサー情報を情報提供部が取得した際に、マップの表示情報を作成してＤＢに格納し、閲覧者からの閲覧要求があった際に、情報配信サーバーが閲覧者がいる位置情報あるいは閲覧者が指定した位置情報に対応するエリアの地図を地図情報ＤＢから読み出すと共に、閲覧者がいる位置情報あるいは閲覧者が指定した位置情報に対応するエリアの表示情報を読み出してマップを作成して閲覧者に配信するようにしても良い。
また、以上説明した本発明の実施例にかかる気象情報警告システムの位置測位装置を備える子機においては、ＧＰＳに限らず、設置された位置の座標を位置測位装置が、ＧＬＯＮＡＳＳ、Ｇａｌｉｌｅｏ、準天頂衛星（ＱＺＳＳ）等の衛星測位システムを使用して測位するようにしてもよい。
さらに、子機の設置位置と気温・気圧の変動幅を表すアイコンは第２レイヤーの表示情報とされており、形状が半截された円形とされて、半截された円形の色調の濃淡で気温・気圧の振れ幅を示しているが、アイコンの図形は気温・気圧の変動幅を表せればどのような図形でもよい。
また、本発明の第２実施例における第２の子機では、電源コネクタより電源を供給すると説明したが、これに限らず、電源を供給する一次電池を内部に備えるようにしてもよい。このようにすると、第２の子機を商用電源を供給できない設置位置としたり、移動可能とすることができる。また、一次電池と商用電源などを併用するようにしてもよい。
【符号の説明】
【００６４】
１  気象情報警告システム、２  気象情報警告システム、１０  端末群、１０ａ  携帯電話、１１  通信網、１２  情報提供部、１２ａ  情報配信サーバー、１２ｂ  データ処理サーバー、１２ｃ  データベース部、１２ｄ  広域通信網通信Ｉ／Ｆ、１３  広域通信網、１４Ａ  親機、１４Ｂ  親機、１５  子機、１５ａ〜１５ｉ  子機、１６  閉域通信網、１７  第１の子機、１７ａ〜１７ｉ  第１の子機、１８  第２の子機、１９  閉域通信網、２１  マイクロコントローラ、２２  センサー、２３  位置測位装置、２４  警告表示器、２５  閉域通信網通信Ｉ／Ｆ、２５ａ  アンテナ、２６  記憶装置、２７  電源装置、２７ａ  電源コネクタ、２７ｂ  停止スイッチ、２８  警報装置、２９  取付部、３１  マイクロコントローラ、３２  広域通信網通信Ｉ／Ｆ、３３  閉域通信網通信Ｉ／Ｆ、３４  記憶装置、３５  データ処理部、３６  電源装置、４１  ＣＰＵ、４２  ＲＯＭ、４３  ＲＡＭ、４４  Ｉ／Ｏ、４５  バス、５０  データ処理装置、５１  センサー座標ＤＢ、５２  センサー情報ＤＢ、５３  センサー値標準偏差ＤＢ、５４  地図情報ＤＢ、５５  登録者情報ＤＢ、６１  ＣＰＵ、６２  ＲＯＭ、６３  ＲＡＭ、６４  Ｉ／Ｏ、６５  バス、７１  ＣＰＵ、７２  ＲＯＭ、７３  ＲＡＭ、７４  Ｉ／Ｏ、７５  バス、８０  グランド、８０ａ  取付孔、８１  アンカーナット、００１  端末装置、１０１ａ  ポール部、１０１ｂ  基部、１１１  警告表示部、２００  視線誘導標、２１０  円筒状ケース、２１０ａ  開口部、２１１  太陽光パネル、２１２  ＧＰＳアンテナ、２１３  基部、２１３ａ  ボルト、３００  端末装置、３０１  マイクロコントローラ、３０２  センサー、３０３  位置測位装置、３０４  警告表示器、３０５  閉域通信網通信Ｉ／Ｆ、３０６  広域通信網通信Ｉ／Ｆ、３０７  記憶装置、３０８  電源装置
【図１】
2018105723.tif 000003
【図２】
2018105723.tif 000004
【図３】
2018105723.tif 000005
【図４】
2018105723.tif 000006
【図５】
2018105723.tif 000007
【図６】
2018105723.tif 000008
【図７】
2018105723.tif 000009
【図８】
2018105723.tif 000010
【図９】
2018105723.tif 000011
【図１０】
2018105723.tif 000012
【図１１】
2018105723.tif 000013
【図１２】
2018105723.tif 000014
【図１３】
2018105723.tif 000015
【図１４】
2018105723.tif 000016
【図１５】
2018105723.tif 000017
【図１６】
2018105723.tif 000018
【図１７】
2018105723.tif 000019
【図１８】
2018105723.tif 000020
【図１９】
2018105723.tif 000021
【図２０】
2018105723.tif 000022
【図２１】
2018105723.tif 000023
【図２２】
2018105723.tif 000024
【図２３】
2018105723.tif 000025
【図２４】
2018105723.tif 000026
【図２５】
2018105723.tif 000027
【図２６】
2018105723.tif 000028
【図２７】
2018105723.tif 000029
【図２８】
2018105723.tif 000030
【図２９】
2018105723.tif 000031
【図３０】
2018105723.tif 000032
【図３１】
2018105723.tif 000033
【図３２】
2018105723.tif 000034
【図３３】
2018105723.tif 000035